(57)【特許請求の範囲】
【請求項１】
表面に防食被覆層を施したコンクリート構造部材を複数連設一体化する際に、これの目地部に設けられる目地部構造であって、隣接するコンクリート構造部材の各防食被覆層の縁部に沿って設けられる嵌合溝と、前記嵌合溝と合致する断面形状の一対の突起をその底面に沿って備える帯状弾性防食蓋部材とからなり、前記隣接するコンクリート構造部材の各縁部に設けた嵌合溝に前記一対の突起を各々挿入することにより、前記帯状弾性防食蓋部材を前記目地部を覆って前記防食被覆層の表面に密着固定することを特徴とする防食被覆コンクリート構造部材の目地部構造。
【請求項２】
前記帯状弾性防食蓋部材の底面には、前記一対の突起により挟まれる部分に、水膨潤性ゴムが取り付けられていることを特徴とする請求項１に記載の防食被覆コンクリート構造部材の目地部構造。
【請求項３】
前記嵌合溝が設けられた前記隣接するコンクリート構造部材の各防食被覆層の縁部に挟まれるようにして、水膨潤性ゴムが取り付けられていることを特徴とする請求項１又は請求項２のいずれかに記載の防食被覆コンクリート構造部材の目地部構造。
【発明の詳細な説明】
【０００１】
【発明の属する技術分野】
本発明は、防食被覆コンクリート構造部材の目地部構造に関し、特に、表面に防食被覆を施したコンクリート構造部材を複数連設一体化する際に採用される目地部構造に関する。
【０００２】
【従来の技術】
例えば下水道などの腐食性の水に接するコンクリート構造物の防食方法としては、コンクリート表面に例えばエポキシ樹脂等の樹脂材料を塗布したり、コンクリート構造物を構成するセグメント等のプレキャスト構造部材の製造時に、コンクリートの表面部分の型枠に防食性の樹脂パネルや樹脂シートを取付けてコンクリートを打設し、あるいは打設したコンクリートの硬化後に樹脂材料を塗布したりすることによってコンクリート表面を防食被覆する方法が採用されている。
【０００３】
また、現場打コンクリートによりコンクリート構造物を形成する場合においても、その表面に樹脂材料などにより防食被覆層を形成して防食する方法が採用されている。
【０００４】
そして、シールドトンネルの覆工体などのコンクリート構造物は、コンクリートセグメント等のプレキャスト構造部材を複数連設一体化したり、現場打ちコンクリートを打ち継いで形成してゆくものであるため、隣接するこれらのコンクリート構造部材の接合部にもまた現場において防食被覆を施す必要が生じることになる。
【０００５】
そしてかかる接合部の防食方法としては、従来より、セグメント等のコンクリート構造部材を形成した後、目地部に樹脂材料を充填する方法や、合成樹脂製の防食被覆材同士を溶接により一体化する方法などが採用されていた。
【０００６】
【発明が解決しようとする課題】
しかしながら、かかる従来の防食被覆コンクリート構造部材の接合部の防食方法によれば、樹脂材料を目地部に充填すなわちコーキングする方法では、コンクリート構造部材の接合部分の清掃や乾燥に相当の時間を必要とし、また、樹脂材料が硬化するまでに長期の養生期間を必要とするとともに、コーキング作業に多くの手間を必要とするという課題があった。
【０００７】
また、防食被覆材同士を溶接する方法によれば、施工現場に地下水などの水分が存在すると溶接能率が低下するとともに、必要な電源の確保などその準備や施工に多くの手間を必要とすることになるという課題があった。
【０００８】
そこで、この発明は、このような従来の課題に鑑みてなされたもので、多くの時間や手間を必要とすることなく、防食被覆を施したコンクリート構造部材の接合部を容易に防食被覆することのできる、防食被覆コンクリート構造部材の目地部構造を提供することを目的とするものである。
【０００９】
【課題を解決するための手段】
この発明は、かかる目的を達成するためになされたもので、その要旨は、表面に防食被覆層を施したコンクリート構造部材を複数連設一体化する際に、これの目地部に設けられる目地部構造であって、隣接するコンクリート構造部材の各防食被覆層の縁部に沿って設けられる嵌合溝と、前記嵌合溝と合致する断面形状の一対の突起をその底面に沿って備える帯状弾性防食蓋部材とからなり、前記隣接するコンクリート構造部材の各縁部に設けた嵌合溝に前記一対の突起を各々挿入することにより、前記帯状弾性防食蓋部材を前記目地部を覆って前記防食被覆層の表面に密着固定することを特徴とする防食被覆コンクリート構造部材の目地部構造にある。
【００１０】
また、この発明の目地部構造は、前記帯状弾性防食蓋部材の底面における前記一対の突起により挟まれる部分に、水膨潤性ゴムを取り付けることが好ましい。
【００１１】
さらに、この発明の目地部構造は、前記嵌合溝が設けられた前記隣接するコンクリート構造部材の各防食被覆層の縁部に挟まれるようにして、水膨潤性ゴムを取り付けることが好ましい。
【００１２】
ここで、上記複数連設一体化されるコンクリート構造部材としては、例えばコンクリートセグメント等のプレキャスト製のコンクリートの他、現場打ちコンクリートにおいて区画分けされて各ロット毎に硬化するコンクリートをも含むものである。
【００１３】
そして、この発明の防食被覆コンクリート構造部材の目地部構造によれば、隣接するコンクリート構造部材の各防食被覆層の縁部に沿って設けられる嵌合溝に対して、帯状弾性防食蓋部材の底面の一対の突起を各々沿わせるようにして当該帯状弾性防食蓋部材をコンクリート構造部材の接合部に配置した後、例えばたたき込むようにして各突起を各々嵌合溝に押し込めば、各突起が各嵌合溝に嵌合して、容易に抜け出さない状態で、帯状弾性防食蓋部材を、目地部を覆って防食被覆層の表面に容易に密着固定することができる。
【００１４】
また、帯状弾性防食蓋部材の底面の一対の突起により挟まれる部分や、あるいは隣接するコンクリート構造部材の各防食被覆層の縁部に挟まれる部分に、水膨潤性ゴムを取り付けておけば、かかる接合部ないしは目地部における水密性をより確実に確保することができる。
【００１５】
【発明の実施の形態】
以下、この発明の好ましい実施形態を添付図面を参照して詳細に説明する。この実施形態の防食被覆コンクリート構造部材の目地部構造は、図１（ａ）及び（ｂ）に示すようなシールドトンネル５０の覆工体５１を構成するコンクリート構造部材としてのコンクリートセグメント１０の接合部１２における目地部１３に設けられるものである。
【００１６】
また、この実施形態によれば、シールドトンネル５０は下水道用のトンネルであって腐食性の水に接するものであるため、各セグメント１０の内周面を、これの製造時に予め防食性の防食被覆層２３によって覆うとともに（図２参照）、複数のセグメント１０を連接一体化して覆工体５１を形成する際に、隣接するセグメント１０間の接合部１２にも高い防食性、及び止水性を付与するために、この発明の防食被覆コンクリート構造部材の目地部構造を設けるものである。
【００１７】
すなわち、この実施形態の目地部構造１１は、図２に示すように、隣接するセグメント１０間の接合部１２の目地部１３に設けられるものであって、隣接するセグメント１０の各防食被覆層２３の縁部２１に沿って設けられる嵌合溝１４と、この嵌合溝１４と合致する断面形状の一対の突起１７を有する防食蓋部材２０とからなり、隣接するセグメント１０の各縁部２１に設けた嵌合溝１４に防食蓋部材２０の一対の突起１７を各々挿入することにより、目地部１３を覆って防食蓋部材２０を接合部１２の表面に密着固定することによって構成されている。
【００１８】
ここで、コンクリートセグメント１０は、予め工場等において製作型枠内にコンクリートを打設硬化させて製作される矩形円弧状のプレキャストコンクリート製のもので、セグメント１０の内周面側に配置される製作型枠の表面に例えば樹脂材料からなるシート部材２２を敷設配置した後にコンクリートを打設することにより、各セグメント１０の内周面に容易に防食被覆層２３を貼着配置することが可能である。
【００１９】
また、かかる防食被覆層２３を構成するシート部材２２は、防食性に富んだ、ポリエチレン、ポリプロピレン等の樹脂材料からなるもので、例えばこれの裏面に多数の突起を有し、これをアンカーとしてセグメント１０の内周面のコンクリート中に埋設することにより、当該内周面に防食被覆層２３が強固に密着固定されることになる。
【００２０】
さらに、各セグメント１０における防食被覆層２３の縁部２１は、図３に拡大して示すように、その厚さが大きく形成されていて、この縁部２１に沿って嵌合溝１４が設けられている。すなわち、この嵌合溝１４は、深部が円形に拡幅した断面形状を備えていて、この嵌合溝１４に同様の断面形状を有する防食蓋部材２０の突起１７を挿入嵌合した際に、この円形拡幅部１５に突起１７の円形拡幅部１８が係止されて、目地部１３を覆う防食蓋部材２０が、接合部１２から抜け出すのを強固に防止する。
【００２１】
一方、この実施形態の目地部構造１１を構成する防食蓋部材２０は、例えば高密度ポリエチレン、ポリプロピレン等の樹脂材料からなる、防食性に富むとともに弾性を備え、適度な硬さと復元力を有する帯状の部材であって、図３に拡大して示すように、弓形断面の蓋部本体１６と、この蓋部本体１６の平坦な底面から突出する一対の突起１７とからなり、この突起１７は、上述の嵌合溝１４と合致する形状の、円形拡幅部１８を有する断面形状を有している。
【００２２】
また、蓋部本体１６の底面の一対の突起１７は、その間隔が、隣接するセグメント１０を接続すべくセグメント１０の端面同士を密着当接させた際の各セグメントの縁部２１に形成された嵌合溝１４間の間隔と一致するように形成されており、さらに、これらの一対の突起１７により挟まれる部分における蓋部本体１６の底面には、水膨潤性ゴム１９が取り付けられている。
【００２３】
そして、この実施形態の目地部構造１１は、隣接するセグメント１０の各縁部に設けた嵌合溝１４に防食蓋部材２０の一対の突起１７を各々挿入することにより、目地部１３を覆って防食蓋部材２０を接合部１２の表面に密着固定することによって構成される。
【００２４】
すなわち、この実施形態によれば、各セグメント１０の製作時にこれの端部内側の適宜箇所に設けたボルトボックスなどを介して、隣接するセグメント１０を締結固定したら、これらの隣接するセグメント１０の接合部１２に表出する各一列合計２列の嵌合溝１４に対し、防食蓋部材２０の底面の一対の突起１７を各々沿わせるようにして、当該防食蓋部材２０を隣接するセグメント１０の縁部２１に跨って配置した後、例えばたたき込むようにして一対の突起１７を各嵌合溝１４に押し込めば、防食蓋部材２０が目地部１３を覆ってセグメント１０の防食被覆層２３の表面に容易に密着固定し、これによって止水性、及び防食性に富んだ目地部構造１１が隣接するセグメント１０の接合部１２に容易に形成されることになる。
【００２５】
また、この実施形態によれば、防食蓋部材２０の底面の一対の突起１７により挟まれる部分には、水膨潤性ゴム１９が取付けられているので、目地部１３を覆って防食蓋部材２０とセグメント１０の防食被覆層２３との間に挟み込まれる当該水膨潤性ゴム１９が水を吸収して膨潤することにより、さらに確実な水密性を得ることができる。
【００２６】
図４は、この発明の他の実施形態を示すもので、現場打ちコンクリートによって形成されるコンクリート構造物４０に対して、この発明の目地部構造４１を採用したものである。
【００２７】
すなわち、この実施形態によれば、コンクリート構造物４０は、複数の区画に分割して各ロット毎に現場打ちコンクリートを打設して硬化させるものであるため、各区画において打設硬化したコンクリートをコンクリート構造部材４２としてこれらを接続一体化する際に、コンクリートの打継ぎ部すなわち目地部４３に、この発明の目地部構造４１を採用したものである。
【００２８】
この実施形態によれば、上述の実施形態の目地部構造１１と略同様の構成を有するものであるが、目地部４３を覆う位置に、隣接する防食被覆層２３の縁部２１に挟まれるようにして水膨潤性ゴム４４が取り付けられている。
【００２９】
そして、このような実施形態によっても、防食蓋部材２０の一対の突起１７をたたき込むようにして各嵌合溝１４に押し込むことにより、止水性、及び防食性に富んだ目地部構造４１を容易に形成することができるとともに、防食被覆層２３の縁部２１に挟まれる水膨潤性ゴム４４が水を吸収して膨潤することにより、さらに確実な水密性を得ることができる。
【００３０】
なお、この発明は、上記実施形態の実施の態様に限定されるものではなく、各請求項に記載された構成の範囲内において種々に変更して採用することができる。例えば、水膨潤性ゴムは必ずしも設ける必要はなく、また、防食蓋部材の一対の突起の間、及び防食被覆層の縁部の間の双方に水膨潤性ゴムを設けることもできる。
【００３１】
【発明の効果】
以上詳細に説明したように、この発明の防食被覆コンクリート構造部材の目地部構造によれば、隣接するコンクリート構造部材の各防食被覆層の縁部に沿って設けられる嵌合溝と、この嵌合溝と合致する断面形状の一対の突起をその底面に沿って備える帯状弾性防食蓋部材とからなるので、隣接するコンクリート構造部材の各縁部に設けた嵌合溝に前記一対の突起を挿入するだけの作業によって、帯状弾性防食蓋部材を前記目地部を覆って防食被覆層の表面に密着固定することができ、これによって多くの時間や手間を必要とすることなく、防食被覆を施したコンクリート構造部材の接合部を容易に防食被覆することができる。
【００３２】
また、帯状弾性防食蓋部材の底面の一対の突起により挟まれる部分や、あるいは隣接するコンクリート構造部材の各防食被覆層の縁部に挟まれる部分に、水膨潤性ゴムを取り付けておけば、かかる接合部ないしは目地部における水密性をより確実に確保することができる。
【図面の簡単な説明】
【図１】（ａ）及び（ｂ）は、この発明の一実施形態に係る目地部構造を採用したシールドトンネルのセグメント覆工体を説明する、（ａ）は正面図、（ｂ）は（ａ）をＡ−Ａから見た内面図である。
【図２】この発明の一実施形態に係る目地部構造を示す断面図である。
【図３】この発明の一実施形態に係る目地部構造を説明する拡大断面図である。
【図４】この発明の他の実施形態に係る目地部構造を説明する拡大断面図である。
【符号の説明】
１０  セグメント（コンクリート構造部材）
１１  目地部構造
１２  接合部
１３  目地部
１４  嵌合溝
１６  蓋部本体
１７  突起
１９  水膨潤性ゴム
２０  防食蓋部材
２１  縁部
２３  防食被覆層
４１  目地部構造
４２  コンクリート構造部材
４３  目地部
４４  水膨潤性ゴム
５０  シールドトンネル
５１  覆工体
【図１】
0003852178.tif 000002
【図２】
0003852178.tif 000003
【図３】
0003852178.tif 000004
【図４】
0003852178.tif 000005